(57)【特許請求の範囲】
【請求項１】
電柱に装柱された変圧器の前方を覆う第１防護カーテン及び前記変圧器の側方を覆う一対の第２防護カーテンを有する防護具であって、
電柱に設置され、電柱の長手方向に対して垂直方向に延在する後方支持アームと、
電柱に変圧器を設置するために設けられ、略水平方向でかつ前記後方支持アームが延びる方向に対して垂直に延びる腕金に設置される棒状の固定部、及び前記固定部の端部に連結し、前記変圧器における前記電柱の反対側において前記後方支持アームに対して平行に延在する支持部を有するＴ字型の前方支持アームと、
前記第１防護カーテン、当該第１防護カーテンを巻き付け可能な第１巻き取り軸、及び間接活線工具が取付可能な取付部を有する第１防護カーテンユニットと、
を備え、
前記支持部は、前記第１巻き取り軸の軸方向が電柱の長手方向に対して平行になるように前記第１防護カーテンユニットを支持するユニット支持部と、当該ユニット支持部に支持された前記第１防護カーテンユニットから、前記支持部の長手方向に沿って引き出された前記第１防護カーテンの先端部を支持する第１カーテン支持部を備え、
前記第１防護カーテンユニットは、前記ユニット支持部に、間接活線工具の操作によって着脱自在に係合するユニット係合部を備え、
前記第１防護カーテンは、前記第１カーテン支持部に、間接活線工具の操作によって着脱可能に係合するカーテン係合部を備え、
前記第２防護カーテンは、前記後方支持アームの両端部と前記前方支持アームの両端部とに取り付けられることを特徴とする防護具。
【請求項２】
間接活線工具を用いて前記腕金に固定される腕金固定部、及び前記前方支持アームの前記固定部をスライドさせながら挿入しかつ前記前方支持アームを支持する挿入部を有する取付具を更に備え、
前記前方支持アームは、前記取付具を介して前記腕金に設置されることを特徴とする請求項１記載の防護具。
【請求項３】
前記後方支持アームの両端部にそれぞれ設置され、前記第２防護カーテン及び前記第２防護カーテンが巻かれている第２巻き取り軸を有する第２防護カーテンユニットと、
前記支持部の両端部に設けられ、引き出された前記第２防護カーテンを着脱自在に支持する第２カーテン支持部とを更に備え、
前記第１防護カーテンユニットは、前記支持部の両端部にそれぞれ設置され、
前記第２防護カーテンユニットは、前記後方支持アームの両端部に、前記第２巻き取り軸の軸方向が電柱の長手方向に対して平行になるようにそれぞれ設置され、
前記第２防護カーテンは、間接活線工具を用いて前記第１防護カーテンユニットに向かって引き出され、前記第２カーテン支持部に取付られることを特徴とする請求項２記載の防護具。
【請求項４】
請求項２又は３記載の防護具を電柱に設置する方法であって、
前記腕金に前記取付具を設置する工程と、
前記取付具に前記固定部を設置する工程と、
前記第１防護カーテンユニットを前記支持部に取り付ける工程と、
前記第１防護カーテンを引き出して前記支持部の所定部位に取り付ける工程と、を備え、
各工程は、間接活線工具を用いて行うことを特徴とする防護具の設置方法。
【発明の詳細な説明】
【技術分野】
【０００１】
本発明は、建設工事現場等において送電線、変圧器等の充電部に接近又は接触して作業する際に、充電部又はその周辺に設置される防護具及びその設置方法に関する。
【背景技術】
【０００２】
従来、活線作業又は活線近接作業を行う際には、引き出し線に蛇腹や防護シートを取り付けたり、電柱の上部に設置される変圧器周辺の充電部を囲うように防護ネットを設置したりする等、感電事故等を防止する対策が行われている。
【０００３】
また、従来における、この種の技術としては、特許文献１に記載された技術がある。特許文献１によれば、電柱の上部に設置されているトランス周辺の充電部を囲うように、絶縁性の防護ネットが設置されている。
【先行技術文献】
【特許文献】
【０００４】
【特許文献１】特開２００６−１８７１２９号公報
【発明の概要】
【発明が解決しようとする課題】
【０００５】
ところで、従来は、防護ネットを直接活線作業によって設置している。しかし近年、活線作業員の感電事故等の防止のため、直接活線作業はできるだけ無くす方向にある。このため、防護ネットの設置作業も間接活線作業によって行えるようにすることが望まれている。
【０００６】
本発明は、防護カーテンの取り付け作業を間接活線作業によって行うことを実現した防護具及びその設置方法を提供することを目的とする。
【課題を解決するための手段】
【０００７】
本発明は、前記目的を達成するため、次に記載する構成を備えている。
【０００８】
（１）  電柱に装柱された変圧器の前方を覆う第１防護カーテン及び前記変圧器の側方を覆う一対の第２防護カーテンを有する防護具であって、電柱に設置され、電柱の長手方向に対して垂直方向に延在する後方支持アームと、電柱に変圧器を設置するために設けられ、略水平方向でかつ前記後方支持アームが延びる方向に対して垂直に延びる腕金に設置される棒状の固定部、及び前記固定部の端部に連結し、前記変圧器における前記電柱の反対側において前記後方支持アームに対して平行に延在する支持部を有するＴ字型の前方支持アームと、前記第１防護カーテン、当該第１防護カーテンを巻き付け可能な第１巻き取り軸、及び間接活線工具が取付可能な取付部を有する第１防護カーテンユニットと、を備え、前記支持部は、前記第１巻き取り軸の軸方向が電柱の長手方向に対して平行になるように前記第１防護カーテンユニットを支持するユニット支持部と、当該ユニット支持部に支持された前記第１防護カーテンユニットから、前記支持部の長手方向に沿って引き出された前記第１防護カーテンの先端部を支持する第１カーテン支持部を備え、前記第１防護カーテンユニットは、前記ユニット支持部に、間接活線工具の操作によって着脱自在に係合するユニット係合部を備え、前記第１防護カーテンは、前記第１カーテン支持部に、間接活線工具の操作によって着脱可能に係合するカーテン係合部を備え、前記第２防護カーテンは、前記後方支持アームの両端部と前記前方支持アームの両端部とに取り付けられることを特徴とする防護具。
【０００９】
（１）によれば、前方支持アームの支持部に第１防護カーテンを取り付け、前方支持アームの両端部と後方支持アームの両端部に第２防護カーテンを取り付けることにより、変圧器の周りを囲むように防護カーテンが配置される。更に、電柱から離れた位置にある前方支持アームの支持部には、間接活線工具を用いて第１防護カーテンユニットの取付及び第１防護カーテンの引き出しを行うことができる。このため、防護カーテンを取り付ける作業を行う作業員の安全性が向上する。
【００１０】
（２）  （１）において、間接活線工具を用いて前記腕金に固定される腕金固定部、及び前記前方支持アームの前記固定部をスライドさせながら挿入しかつ前記前方支持アームを支持する挿入部を有する取付具を更に備え、前記前方支持アームは、前記取付具を介して前記腕金に設置されることを特徴とする防護具。
【００１１】
（２）によれば、間接活線工具を用いて腕金に取付具を設置し、更に、前方支持アームの固定部を挿入部にスライドさせながら挿入することによって、取付具を介して腕金に前方支持アームが設置される。このため、間接活線工具を用いて、腕金に取付具を介して前方支持アームの固定部を設置することが可能になる。
【００１２】
（３）  （２）において、前記後方支持アームの両端部にそれぞれ設置され、前記第２防護カーテン及び前記第２防護カーテンが巻かれている第２巻き取り軸を有する第２防護カーテンユニットと、前記支持部の両端部に設けられ、引き出された前記第２防護カーテンを着脱自在に支持する第２カーテン支持部とを更に備え、前記第１防護カーテンユニットは、前記支持部の両端部にそれぞれ設置され、前記第２防護カーテンユニットは、前記後方支持アームの両端部に、前記第２巻き取り軸の軸方向が電柱の長手方向に対して平行になるようにそれぞれ設置され、前記第２防護カーテンは、間接活線工具を用いて前記第１防護カーテンユニットに向かって引き出され、前記第２カーテン支持部に取付られることを特徴とする防護具。
【００１３】
（３）によれば、前方支持アームの両端部に巻かれた状態の第１防護カーテンが配置され、後方支持アームの両端部に巻かれた状態の第２防護カーテンが配置されており、間接活線工具を用いて、第１、第２防護カーテンをそれぞれ引き出して、所定位置に取り付けることにより、変圧器の周囲が第１、第２防護カーテンによって覆われる。これにより、間接活線工具を用いて、変圧器の周囲を防護カーテンで覆う作業を容易に行うことが可能になる。
【００１４】
（４）  （２）又は（３）の防護具を電柱に設置する方法であって、前記腕金に前記取付具を設置する工程と、前記取付具に前記固定部を設置する工程と、前記第１防護カーテンユニットを前記支持部に取り付ける工程と、前記第１防護カーテンを引き出して前記支持部の所定部位に取り付ける工程と、を備え、各工程は、間接活線工具を用いて行うことを特徴とする防護具の設置方法。
【００１５】
（４）によれば、腕金に取付具を設置する工程と、取付具に固定部を設置する工程と、第１防護カーテンユニットを支持部に取り付ける工程と、第１防護カーテンを引き出して支持部の所定部位に取り付ける工程とを、間接活線工具を用いて行うため、第１防護カーテンを取り付ける作業を行う作業員の安全性が向上する。
【発明の効果】
【００１６】
本発明によれば、電柱から離れた位置にある前方支持アームの支持部に、間接活線工具を用いて防護カーテンを着脱することができるため、防護カーテンを取り付ける作業を行う作業員の安全性が向上する。
【図面の簡単な説明】
【００１７】
【図１】本発明の一実施形態における防護具１の概略構成を示す斜視図である。
【図２】第１防護カーテンユニット１０の構成を示す説明図である。
【図３】第２防護カーテンユニット１２の構成を示す説明図である。
【図４】前方支持アーム１４の取付構造を示す側面図である。
【図５】取付具２２の構成を示す斜視図である。
【図６】電柱１００に設置した防護具１の側面図である。
【図７】電柱１００に設置した防護具１の正面図である。
【図８】支持部１４ｂ及び下部支持部１６ｂへの第１防護カーテンユニット１０の取付構造を示す説明図である。
【図９】後方支持アーム１８及び後方下部支持アーム２０への第２防護カーテンユニット１２の取付構造を示す説明図である。
【図１０】引き出し軸１０ｃの支持部１４ｂ（１６ｂ）への取付構造を示す説明図である。
【図１１】防護カーテンを引き出す順番を示す図である。
【図１２】第２防護カーテン１２ａで覆った状態の防護具１を示す側面図である。
【図１３】第１防護カーテン１０ａで覆った状態の防護具１を示す正面図である。
【発明を実施するための形態】
【００１８】
以下、本発明の実施形態について、図面を参照しながら詳細に説明する。
図１は、本発明の一実施形態における防護具１の概略構成を示す斜視図である。図１において、防護具１は、第１防護カーテンユニット１０、第２防護カーテンユニット１２、前方支持アーム１４、前方下部支持アーム１６、後方支持アーム１８、及び後方下部支持アーム２０を備えている。なお、以下の説明の便宜上、図１において、図中Ａ方向（電柱１００の長手方向）を上下方向、図中Ａ方向に垂直な図中Ｂ方向を左右方向、Ａ方向及びＢ方向に垂直な図中Ｃ方向を前後方向と称する場合がある。
【００１９】
電柱１００には、電灯用の変圧器１１０及び動力用の変圧器１２０が設置されており、変圧器１１０及び変圧器１２０は、電柱１００の前方に位置している。
【００２０】
第１防護カーテンユニット１０は、第１防護カーテン１０ａを巻き取った状態で収納し、必要に応じて第１防護カーテン１０ａを引き出して使用するものである。第２防護カーテンユニット１２も同様に、第２防護カーテン１２ａを巻き取った状態で収納し、必要に応じて第２防護カーテン１２ａを引き出して使用するものである。
【００２１】
前方支持アーム１４及び前方下部支持アーム１６は、第１防護カーテンユニット１０を支持するためのＴ字状の部材である。前方支持アーム１４は、棒状の固定部１４ａ（図４参照）と、固定部１４ａ（図４参照）に対して垂直方向に両端部が延びる支持部１４ｂとを備えている。前方下部支持アーム１６は、棒状の下部固定部１６ａと、下部固定部１６ａに対して垂直方向に延びる下部支持部１６ｂとを備えている。ここで、支持部１４ｂと下部支持部１６ｂとは同じ長さである。
【００２２】
前方支持アーム１４の棒状の固定部１４ａ（図４参照）は、詳細については後述するが、電柱１００に変圧器１１０及び変圧器１２０を設置するために装柱された腕金１３０に設置される。前方下部支持アーム１６の下部固定部１６ａは、電柱１００に設置される。このとき、支持部１４ｂ及び下部支持部１６ｂは、変圧器１１０及び変圧器１２０の前方に配置される。また、下部支持部１６ｂは変圧器１１０及び変圧器１２０の前側下方に配置され、支持部１４ｂは下部支持部１６ｂの上方に配置される。このとき、支持部１４ｂ及び下部支持部１６ｂは互いに平行である。そして、一対の第１防護カーテンユニット１０が、支持部１４ｂ及び下部支持部１６ｂの両端部にそれぞれ設置される。
【００２３】
後方支持アーム１８及び後方下部支持アーム２０は、変圧器１１０及び変圧器１２０の後方に配置され、第２防護カーテンユニット１２を支持するための、同じ長さの棒状の部材である。後方支持アーム１８は、電柱１００における変圧器１１０よりも上方の部位に設置される。このとき、後方支持アーム１８は、両端部が左右方向に延在する。後方下部支持アーム２０は、電柱１００における変圧器１１０よりも下方の部位に設置される。後方下部支持アーム２０は、後方支持アーム１８と同様に両端部が左右方向に延在し、後方支持アーム１８及び後方下部支持アーム２０は互いに平行である。そして、一対の第２防護カーテンユニット１２が、後方支持アーム１８及び後方下部支持アーム２０の両端部にそれぞれ設置される。
【００２４】
一対の第１防護カーテンユニット１０及び一対の第２防護カーテンユニット１２は、地上からそれぞれ同じ高さで配置される。このとき、一対の第１防護カーテンユニット１０の長手方向及び一対の第２防護カーテンユニット１２の長手方向は、電柱１００の長手方向に対してそれぞれ平行である。そして、第１防護カーテンユニット１０、１０から第１防護カーテン１０ａ、１０ａを引き出し、第２防護カーテンユニット１２、１２から第２防護カーテン１２ａ、１２ａを引き出して、所定部位に係合させることにより、変圧器１１０及び変圧器１２０の周りが、第１防護カーテン１０ａ、１０ａ及び第２防護カーテン１２ａ、１２ａによって囲まれる。
【００２５】
図２は、第１防護カーテンユニット１０の構成を示す説明図であり、図２（ａ）は第１防護カーテンユニット１０の正面図、図２（ｂ）は第１防護カーテンユニット１０の側面図、図２（ｃ）は、第１防護カーテンユニット１０に係る固定板１０ｆの正面図である。
【００２６】
図２（ａ）、図２（ｂ）に示すように、第１防護カーテンユニット１０は、第１防護カーテン１０ａ、第１巻き取り軸１０ｂ、引き出し軸１０ｃ及び第１収納体１０ｅを備えている。
【００２７】
第１防護カーテン１０ａは、絶縁性部材からなり、網目を有する矩形のネット部材である。第１防護カーテン１０ａにおける一方の端部には、第１巻き取り軸１０ｂが固定されている。第１防護カーテン１０ａの他方の端部には、四角柱状の引き出し軸１０ｃが固定されている。
【００２８】
第１収納体１０ｅは、内部に第１巻き取り軸１０ｂを回転自在に設置し、第１防護カーテン１０ａを第１巻き取り軸１０ｂに巻き付けた状態で収納するものである。
【００２９】
また、第１収納体１０ｅは、固定板１０ｆ、軸受１０ｇ、１０ｇ及び第２カーテン支持部に相当するシャフト１０ｈを備えている。固定板１０ｆは、長手方向が第１巻き取り軸１０ｂと略同じ長さの金属板であり、固定板１０ｆの長手方向の両端部に軸受１０ｇ、１０ｇが設置されている。
【００３０】
軸受１０ｇ、１０ｇは、第１巻き取り軸１０ｂの両端部を回転自在に支持するものである。軸受１０ｇ、１０ｇに、第１防護カーテン１０ａが巻かれた第１巻き取り軸１０ｂの両端部を取り付けることにより、第１防護カーテン１０ａが第１収納体１０ｅに引き出し自在に収納される。更に、軸受１０ｇ、１０ｇは、シャフト１０ｈの両端部を支持している。シャフト１０ｈは、軸受１０ｇ、１０ｇの外周部に設置されている。
【００３１】
固定板１０ｆの板面には、図２（ｃ）に示すように、長手方向に貫通孔３０が並列して形成されており、固定板１０ｆの板面の中央部及び両端部には固定板１０ｆの長手方向に延びる長孔３２が形成されている。長孔３２は、ビス３８（図８（ｂ）参照）の頭部３８ａ（図８（ｂ）参照）が遊嵌可能な大きさの円孔部３２ａと、円孔部３２ａの上下の部位から固定板１０ｆの長手方向に延びる長孔部３２ｂとによって形成されている。ここで、長孔部３２ｂの短手方向の幅は、ビス３８（図８（ｂ）参照）の頭部３８ａ（図８（ｂ）参照）より小さく、かつシャフト部３８ｂ（図８（ｂ）参照）が遊嵌可能に設定されている。また、固定板１０ｆの板面において貫通孔３０の縁部上にナット３４が固定されている。このナット３４は、第１防護カーテン１０ａを支持部１４ｂに固定する際に用いるボルト３６（図８（ｃ）参照）に螺合するものである。また、固定板１０ｆにおける中央部の長孔３２の上部近傍に取付部に相当する延在部１０ｉが形成されている。この延在部１０ｉは、固定板１０ｆの長手方向に対して垂直方向でかつ固定板１０ｆの両側から延在している。
【００３２】
間接活線工具に第１防護カーテンユニット１０を取り付ける場合には、間接活線工具によって延在部１０ｉの下部を把持させる。そして、間接活線工具を持ち上げた際に、間接活線工具に延在部１０ｉが当接することによって、間接活線工具から第１防護カーテンユニット１０が落下することが防止される。ここで延在部１０ｉから固定板１０ｆ中央の長孔３２の中心までの距離は、当該長孔３２にビス３８（図８（ａ）、（ｂ）参照）を対向させた場合に、第１防護カーテンユニット１０を保持している間接活線工具が、支持部１４ｂの上部に位置するように設定されている。これにより、長孔３２にビス３８（図８（ａ）、（ｂ）参照）を遊嵌させる際に、間接活線工具が支持部１４ｂに当たってしまうことが防止できる。
【００３３】
図３は、第２防護カーテンユニット１２の構成を示す説明図であり、図３（ａ）は第２防護カーテンユニット１２の正面図、図３（ｂ）は第２防護カーテンユニット１２の側面図、図３（ｃ）は、第２防護カーテンユニット１２に係る固定板１２ｆの正面図である。
【００３４】
図３（ａ）、図３（ｂ）に示すように、第２防護カーテンユニット１２は、第２防護カーテン１２ａ、第２巻き取り軸１２ｂ、引き出し軸１２ｃ及び第２収納体１２ｅを備えている。
【００３５】
第２防護カーテン１２ａは、第１防護カーテン１０ａと同一の素材からなる矩形のネット部材であり、長手方向の長さが第１防護カーテン１０ａよりも長く設定されている。第２防護カーテン１２ａにおける長手方向に対向する一方の端部には、第２巻き取り軸１２ｂが固定されている。第２防護カーテン１２ａの他方の端部には、四角柱状の引き出し軸１２ｃが固定されている。また、引き出し軸１２ｃには、フック１２ｈが固定されている。
【００３６】
第２収納体１２ｅは、内部に第２巻き取り軸１２ｂを回転自在に設置し、第２防護カーテン１２ａを第２巻き取り軸１２ｂに巻き付けた状態で収納するものである。
【００３７】
また、第２収納体１２ｅは、固定板１２ｆ及び軸受１２ｇ、１２ｇを備えている。固定板１２ｆは、長手方向が第２巻き取り軸１２ｂと略同じ長さの金属板であり、固定板１２ｆの長手方向の両端部に軸受１２ｇ、１２ｇが設置されている。
【００３８】
軸受１２ｇ、１２ｇは、第２巻き取り軸１２ｂの両端部を回転自在に支持するものである。軸受１２ｇ、１２ｇに、第２防護カーテン１２ａが巻かれた第２巻き取り軸１２ｂの両端部を取り付けることにより、第２防護カーテン１２ａが第２収納体１２ｅに引き出し自在に収納される。
【００３９】
固定板１２ｆの板面には、図３（ｃ）に示すように、長手方向に貫通孔４０が並列して形成されており、固定板１２ｆの板面の中央部及び両端部には固定板１２ｆの長手方向に延びる長孔４２が形成されている。長孔４２は、ビス４８（図９（ｂ）参照）の頭部４８ａ（図９（ｂ）参照）が遊嵌可能な大きさの円孔部４２ａと、円孔部４２ａの上下の部位から固定板１２ｆの長手方向に延びる長孔部４２ｂとによって形成されている。ここで、長孔部４２ｂの短手方向の幅は、ビス４８（図９参照）の頭部４８ａ（図９（ｂ）参照）より小さく、かつシャフト部４８ｂ（図９（ｂ）参照）が遊嵌可能に設定されている。また、固定板１２ｆの板面において貫通孔４０上にナット４４が固定されている。このナット４４は、第２防護カーテン１２ａを下部支持部１６ｂに固定する際に用いるボルト４６（図９（ｃ）参照）に螺合するものである。
【００４０】
ここで、図２、図３に示す、第１巻き取り軸１０ｂの長さと第２巻き取り軸１２ｂの長さとは同じに設定されている。また、引き出し軸１０ｃの長さと引き出し軸１２ｃの長さとは同じに設定されている。また、第１防護カーテン１０ａにおける長手方向に対向する長辺の長さと、第２防護カーテン１２ａにおける長手方向に対向する長辺の長さとは同じであり、その長さは、変圧器１１０や変圧器１２０及びその周辺に配置されている引き出し線や碍子等を覆うことができる程度の長さに設定されている。また、固定板１０ｆの長手方向の長さと固定板１２ｆの長手方向の長さとは同じに設定されている。
【００４１】
図４は、前方支持アーム１４の取付構造を示す側面図である。
前方支持アーム１４における固定部１４ａの一端部は、取付具２２を介して腕金１３０に設置される。ここで、腕金１３０は、電柱１００（図１参照）に変圧器１１０（図１参照）及び変圧器１２０（図１参照）を設置するために装柱されるものであり、後方支持アーム１８（図１参照）が延びる方向に対して前方に垂直に延びている。また、固定部１４ａの他端部には、支持部１４ｂの中央部が設置される。固定部１４ａと支持部１４ｂとはツイストロック機構によって着脱自在に結合されている。このため、腕金１３０に取付具２２を介して設置された固定部１４ａに対して、支持部１４ｂを、所謂ホットスティックと称されている間接活線工具を用いて取り付けることが可能である。
【００４２】
図５は、取付具２２の構成を示す斜視図である。取付具２２は、挿入部２２ａと、連結部２２ｂと、スペーサ部２２ｃと、固定部１４ａの下部を保持するシャフト２４と、ボルト２６及びナット２８とを備えている。
【００４３】
挿入部２２ａは、固定部１４ａを挿入する矩形の開口を有する四角筒の金属部材である。本実施形態においては、２つの挿入部２２ａが、固定部１４ａの挿入方向に沿って並列配置されている。ここで、固定部１４ａにおける挿入部２２ａに挿入する部分は、他の部分よりも若干細く形成されており、挿入部２２ａに固定部１４ａを挿入した場合に、挿入部２２ａの開口縁部に、固定部１４ａにおける挿入部分と他の部分との段差部分が当接する。
【００４４】
連結部２２ｂは、略矩形形状の板状の金属部材からなる。ここで、取付具２２は、一対の連結部２２ｂを備えている。一対の連結部２２ｂは互いに対向しており、長手方向の両端部にそれぞれ挿入部２２ａが配置される。そして、挿入部２２ａは、一対の連結部２２ｂによって両側面が挟まれた状態で、一対の連結部２２ｂに固定される。また、連結部２２ｂには、下方延在部２２ｄ及び一対の上方延在部２２ｅ、２２ｅが形成されている。下方延在部２２ｄは、連結部２２ｂにおける長手方向に延びる一方の長辺の中央部から、長手方向に対して垂直方向に延びている。一対の上方延在部２２ｅ、２２ｅは、連結部２２ｂにおける長手方向に延びる他方の長辺の中央部と一端部との間、及び中央部と他端部との間から延びている。一対の上方延在部２２ｅ、２２ｅの端部には、正方形の貫通孔２２ｆが形成されている。一対の連結部２２ｂにそれぞれ形成された下方延在部２２ｄ、２２ｄにシャフト２４の両端部が固定される。
【００４５】
スペーサ部２２ｃは、コ字状の金属部材であり、挿入部２２ａと腕金１３０との間に所定間隔の隙間を形成させるものである。スペーサ部２２ｃのコ字状の先端部が、挿入部２２ａの上部、及び一対の連結部２２ｂの長辺における二つの上方延在部２２ｅ、２２ｅの間に固定されている。
【００４６】
次に取付具２２の設置方法について説明する。取付具２２は、間接活線工具を用いて腕金１３０の先端部に下方から装着して、腕金１３０の下面にスペーサ部２２ｃを当接させ、腕金１３０の上方に上方延在部２２ｅの端部を延出させる。次に、互いに対応する上方延在部２２ｅ、２２ｅの貫通孔２２ｆにボルト２６を挿入する。ここで、ボルト２６には、ねじ山が形成されているシャフトと頭部との付け根部分に正方形の柱状部が形成されており、この柱状部が貫通孔２２ｆに嵌合する。そして、ボルト２６の端部にナット２８を、間接活線工具を用いて螺合させることによって、取付具２２が腕金１３０に設置される。このように、上方延在部２２ｅ、２２ｅ、ボルト２６及びナット２８は腕金固定部に相当する。
【００４７】
取付具２２が腕金１３０に設置された後、間接活線工具を用いて固定部１４ａを前側の挿入部２２ａに挿入し、スライドさせることによって後側の挿入部２２ａに挿入することにより、固定部１４ａが取付具２２に設置される。そして、間接活線工具を用いて固定部１４ａに支持部１４ｂを取り付け、Ｔ字型を形成させることにより、前方支持アーム１４が腕金１３０に取付具２２を介して設置される。
【００４８】
なお、スペーサ部２２ｃの高さは、挿入部２２ａを正面視した場合に、例えば、図４中符号Ｄが示す部材のように、腕金１３０から取付具２２側に突出した部材が、固定部１４ａに当接しない程度に設定されている。
【００４９】
図６は、電柱１００に設置した防護具１の側面図、図７は、電柱１００に設置した防護具１の正面図である。図６に示すように、前方下部支持アーム１６における下部固定部１６ａの一端部は、電柱１００に固定される。ここで、下部固定部１６ａの一端部は、略直角三角形形状に形成されており、直角部分が上方に向けられている。これにより、下部固定部１６ａが下方に傾くことを防止することができる。また下部固定部１６ａの他端部には、下部支持部１６ｂの中央部が設置される。下部固定部１６ａと下部支持部１６ｂとはツイストロック機構によって着脱自在に結合されている。このため、下部支持部１６ｂは、間接活線工具を用いて下部固定部１６ａに取り付けることが可能である。前方下部支持アーム１６は、前方支持アーム１４の下方に位置付けられ、下部支持部１６ｂは、支持部１４ｂの直下に位置付けられる。
【００５０】
また、図７に示すように、支持部１４ｂは、正面中央部に一対の係合部１４ｄ、１４ｄを備えている。下部支持部１６ｂも同様に、正面中央部に一対の係合部１６ｄ、１６ｄを備えている。係合部１４ｄ、１６ｄは、第１防護カーテンユニット１０から引き出された引き出し軸１０ｃに係合し、引き出し軸１０ｃを支持部１４ｂの正面中央部に保持するものであり、第１カーテン支持部に相当する。
【００５１】
そして、支持部１４ｂと下部支持部１６ｂとの両端部に第１防護カーテンユニット１０が、それぞれ設置される。また、後方支持アーム１８と後方下部支持アーム２０との両端部に第２防護カーテンユニット１２がそれぞれ設置される。
【００５２】
図８は、支持部１４ｂ及び下部支持部１６ｂへの第１防護カーテンユニット１０の取付構造を示す説明図である。
【００５３】
支持部１４ｂの長手方向の両端部には、図８（ｂ）に示すように、支持部１４ｂの前面から後面に向かって貫通する一対の挿入孔１４ｃ、１４ｃが、上下方向に並んで形成されている。ここで、支持部１４ｂの後面における下方の挿入孔１４ｃの縁部にナット３９が固定されている。そして、支持部１４ｂの前方からビス３８を挿入して、ビス３８とナット３９とを螺合させることにより、支持部１４ｂにビス３８が取り付けられる。この時、ビス３８の頭部と支持部１４ｂの面との間に、固定板１０ｆの肉厚よりも若干大きい程度の間隙を設けておく。これにより、長孔３２の円孔部３２ａ（図２（ｃ）参照）にビス３８の頭部を遊嵌した後、固定板１０ｆを下方に降ろして、ビス３８を長孔３２の長孔部３２ｂ（図２（ｃ）参照）に係合させることが可能になる。また、図８（ｃ）に示すように、下部支持部１６ｂの長手方向の両端部には、下部支持部１６ｂの前面から後面に向かって貫通する一対の挿入孔１６ｃ、１６ｃが上下方向に並んで形成されている。
【００５４】
第１防護カーテンユニット１０の取り付けの際には、まず、間接活線工具によって延在部１０ｉ（図２（ｃ）参照）の下部を把持させ、間接活線工具に第１防護カーテンユニット１０を取り付ける。次に、間接活線工具を操作して第１防護カーテンユニット１０を、支持部１４ｂ及び下部支持部１６ｂの前方に位置付ける。次に、間接活線工具を後方に引いて、第１防護カーテンユニット１０を移動させ、ビス３８に、固定板１０ｆの中央部の長孔３２を遊嵌させる。そして、間接活線工具による把持状態を解除することにより、第１防護カーテンユニット１０が自重によって下方に移動し、図８（ｂ）に示すように、ビス３８が長孔３２の上部に係合する。このように、ビス３８は、ユニット支持部に相当し、長孔３２は、ユニット係合部に相当する。これにより、図８（ａ）に示すように、第１防護カーテンユニット１０が支持部１４ｂに設置される。
【００５５】
本実施形態においては、一対の挿入孔１６ｃ、１６ｃ間の長さは、長孔３２における円孔部３２ａの中心から長孔部の端部までの長さに設定されているため、ビス３８が長孔３２の上部に係合した場合に、下方の挿入孔１６ｃが貫通孔３０に対向する。そこで、図８（ｃ）に示すように、ボルト３６を下部支持部１６ｂの後方から挿入孔１６ｃ差し込み、回転させることで、ボルト３６とナット３４とを螺合させる。これにより、図８（ａ）に示すように、第１防護カーテンユニット１０が下部支持部１６ｂに設置される。
【００５６】
ここで、ビス３８を長孔３２の上部に係合させて、第１防護カーテンユニット１０を支持部１４ｂに設置した際に、下方の挿入孔１６ｃが貫通孔３０に対向していない場合には、第１防護カーテンユニット１０を上方にずらすことにより、一対の挿入孔１６ｃのいずれか一方と貫通孔３０とを対向させる。この時、一対の挿入孔１６ｃ、１６ｃの長さは、長孔３２における円孔部３２ａ（図２（ｃ）参照）の中心から長孔部の端部までの長さに設定されているため、ビス３８と上方の長孔部３２ｂ（図２（ｃ）参照）との係合状態が維持される。
【００５７】
なお、上述した第１防護カーテンユニット１０の取付方法は一例であって、他の取付方法でもよい。例えば、下部支持部１６ｂの両端部にビス３８を固定し、このビス３８に、下方の長孔３２を遊嵌させ、支持部１４ｂの挿入孔１４ｃにボルト３６を挿入して、ナット３４に螺合させることによって、第１防護カーテンユニット１０を支持部１４ｂ及び下部支持部１６ｂに取り付けてもよい。
【００５８】
このような作業によって、第１防護カーテンユニット１０は、第１巻き取り軸１０ｂの軸方向が電柱１００の長手方向に対して平行になるように、間接活線工具を用いて支持部１４ｂ及び下部支持部１６ｂに設置される。また、第１防護カーテンユニット１０の設置作業は、長孔３２にビス３８を通すという作業と、挿入孔１６ｃにボルト３６を差し込んで回転させるという作業であるため、間接活線工具を用いて設置作業を行うことが可能である。
【００５９】
図９は、後方支持アーム１８及び後方下部支持アーム２０への第２防護カーテンユニット１２の取付構造を示す説明図である。後方支持アーム１８の長手方向の両端部には、図９（ｂ）に示すように、後方支持アーム１８の前面から後面に向かって貫通する一対の挿入孔１８ａ、１８ａが上下方向に並んで形成されている。また、後方下部支持アーム２０の長手方向の両端部には、図９（ｃ）に示すように、後方下部支持アーム２０の前面から後面に向かって貫通する一対の挿入孔２０ａ、２０ａが上下方向に並んで形成されている。
【００６０】
第２防護カーテンユニット１２の取り付けの際には、まず、挿入孔１８ａに、固定板１２ｆにおける上方の長孔４２を合わせるように、第２防護カーテンユニット１２を後方支持アーム１８に当接させる。次に、固定板１２ｆの上方の長孔４２にビス４８を差し込み、後方支持アーム１８に形成されている挿入孔１８ａに通し、後方支持アーム１８の後面から突出したビス４８の端部をナット４９によって仮締めする。
【００６１】
次に、第２防護カーテンユニット１２を、上方の長孔４２の長孔部４２ｂの範囲内で上下させて、固定板１０ｆに形成されているいずれかの貫通孔４０と、後方下部支持アーム２０に形成されている挿入孔２０ａとを合わせる。そして、後方下部支持アーム２０の挿入孔２０ａにボルト４６を差し込み、ボルト４６の端部にナット４４を螺合させることにより、ナット締めを行う。更に、上方の長孔４２に差し込んだ仮締め状態のビス４８においてもナット締めを行う。これにより、図９（ａ）に示すように、第２防護カーテンユニット１２が、第２巻き取り軸１２ｂの軸方向が電柱１００の長手方向に対して平行になるように、間接活線工具を用いて後方支持アーム１８及び後方下部支持アーム２０に設置される。
【００６２】
なお、後方支持アーム１８及び後方下部支持アーム２０を電柱１００に設置する作業、及び後方支持アーム１８及び後方下部支持アーム２０の両端部に第１防護カーテンユニット１０を設置する作業は、柱上作業として作業員によって直接的に行われる。
【００６３】
図１０は、引き出し軸１０ｃの支持部１４ｂ（１６ｂ）への取付構造を示す説明図である。係合部１４ｄ、１６ｄは、図１０（ａ）に示すように、Ｌ字型の板状部材からなり、正面中央部から正面側に延在し更に上側に延在している。係合部１４ｄ、１６ｄにおける上側に延在している板面には、ねじ孔１４ｅ、１６ｅが形成されている。
【００６４】
一方、引き出し軸１０ｃは、四角柱状の中空部材によって形成され、引き出し軸１０ｃの正面及び背面には、引き出し軸１０ｃの長手方向に沿って並列するように複数の矩形の長孔５０が形成されている。これら複数の長孔５０がカーテン係合部に相当する。引き出し軸１０ｃの正面に形成された長孔５０と背面に形成された長孔５０とは、互いに対向するように配置されている。また、長孔５０は、係合部１４ｄ、１６ｄが遊嵌可能な大きさに設定されている。
【００６５】
そして、第１防護カーテンユニット１０から引き出し軸１０ｃを引き出した際に、図１０（ｂ）に示すように、引き出し軸１０ｃの長孔５０に係合部１４ｄ、１６ｄを遊嵌させ、図１０（ｃ）に示すように、引き出し軸１０ｃを降ろして、係合部１４ｄ、１６ｄと長孔５０の上縁とを係合させる。更に、図１０（ａ）、（ｃ）に示すように、係合部１４ｄ又は係合部１６ｄのいずれかに、座金５２を介してボルト５４を螺合する。
【００６６】
ここで、座金５２は、矩形の中央部と、当該中央部の両側部から、中央部に対して垂直に延びる側面部とからなるＵ字型の部材である。座金５２における両側面部方向の中央部の幅は、引き出し軸１０ｃにおける正面の横幅よりも若干大きく設定されている。また、座金５２の中央部には、ボルト５４が遊嵌する貫通孔５２ａが形成されている。
【００６７】
例えば、図１０（ａ）に示すように、係合部１４ｄにボルト５４を螺合させる際には、ボルト５４に座金５２の貫通孔５２ａを通した状態で、ボルト５４の先端を係合部１４ｄに対向させ、ボルト５４を回転させる。これにより、ボルト５４が係合部１４ｄに螺合するとともに、座金５２の側面部が、引き出し軸１０ｃの両側部に位置付けられ、座金５２と係合部１４ｄとによって引き出し軸１０ｃが把持される。これにより、引き出し軸１０ｃが支持部１４ｂ及び下部支持部１６ｂの正面中央部に保持され、強風等で容易に外れないように固定される。
【００６８】
次に、図７、図８を参照しながら、電柱１００に防護具１を設置する工程について説明する。まず、電柱１００に後方支持アーム１８を設置し、次に、後方下部支持アーム２０を設置する。次に、後方支持アーム１８と後方下部支持アーム２０との両側部に、一対の第２防護カーテンユニット１２を設置する。次に、電柱１００に前方下部支持アーム１６の下部固定部１６ａの一端部を設置する。ここまでは、作業員による柱上作業によって行われる。次からの工程は、間接活線工具を用いて行われる。まず、腕金１３０に取付具２２を設置し、この取付具２２に前方支持アーム１４の固定部１４ａの一端部を設置する。次に、固定部１４ａの他端部に、支持部１４ｂを設置する。次に、下部固定部１６ａの他端部に下部支持部１６ｂを設置する。次に、前方支持アーム１４の支持部１４ｂと前方下部支持アーム１６の下部支持部１６ｂとの両側部に、一対の第１防護カーテンユニット１０を設置する。ここまでの工程により、図７、図８に示すように、防護具１が電柱１００に設置される。
【００６９】
次に、間接活線工具を用いて、図１１の括弧内の数字に示す順番に、第１防護カーテン１０ａ、第２防護カーテン１２ａを引き出し、変圧器１１０及び変圧器１２０の周囲を第１防護カーテン１０ａ、第２防護カーテンで囲む作業を行う。
【００７０】
具体的には、まず、片方の第２防護カーテンユニット１２の引き出し軸１２ｃを引っ張り、フック１２ｈ（図３参照）を、第２防護カーテンユニット１２の前方に位置する第１防護カーテンユニット１０のシャフト１０ｈに係合する。これにより、図１２に示すように、変圧器１１０及び変圧器１２０の側部が第２防護カーテン１２ａによって覆われる。同様の作業をもう片方の第２防護カーテンユニット１２に対して行う。
【００７１】
次に、片方の第１防護カーテンユニット１０の引き出し軸１０ｃを引っ張り、引き出し軸１０ｃを係合部１４ｄ、１６ｄに係合する。同様の作業をもう片方の第１防護カーテンユニット１０に対して行う。これにより、図１３に示すように、変圧器１１０及び変圧器１２０の前方が第１防護カーテン１０ａによって覆われる。
【００７２】
その結果、図１に示すように、変圧器１１０及び変圧器１２０の周りが第１防護カーテン１０ａ及び第２防護カーテン１２ａによって覆われ、作業員が変圧器１１０や変圧器１２０等の充電部に触れてしまうことを確実に防止することが可能になり、感電事故等を防止することが可能になる。
【００７３】
以上説明したように構成された本実施形態によれば、前方支持アーム１４の支持部１４ｂに第１防護カーテン１０ａを取り付け、前方支持アーム１４の両端部と後方支持アーム１８の両端部に第２防護カーテン１２ａを取り付けることにより、変圧器１１０の周りを囲むように防護カーテンが配置される。更に、電柱１００から離れた位置にある前方支持アーム１４の支持部１４ｂには、間接活線工具を用いて第１防護カーテンユニット１０の取付及び第１防護カーテン１０ａの引き出しを行うことができる。このため、第１防護カーテン１０ａを取り付ける作業を行う作業員の安全性が向上する。
【００７４】
また、本実施形態によれば、間接活線工具を用いて腕金に取付具２２を設置し、更に、前方支持アーム１４の固定部１４ａを挿入部２２ａにスライドさせながら挿入することによって、取付具２２を介して腕金１３０に前方支持アーム１４が設置される。このため、間接活線工具を用いて、腕金１３０に前方支持アーム１４の固定部１４ａを設置することが可能になる。
【００７５】
また、本実施形態によれば、巻かれた状態の第１防護カーテン１０ａ及び第２防護カーテン１２ａを、前方支持アーム１４の両端部及び後方支持アーム１８の両端部に設置し、第１防護カーテン１０ａ及び第２防護カーテン１２ａを引き出して、所定位置に係合させることにより、変圧器１１０、１２０の周囲を第１防護カーテン１０ａ及び第２防護カーテン１２ａで覆う。これにより、間接活線工具を用いて、変圧器１１０、１２０の周囲を第１防護カーテン１０ａ及び第２防護カーテン１２ａで覆う作業を容易に行うことが可能になる。
【００７６】
また、本実施形態によれば、腕金１３０に取付具２２を設置する工程と、取付具２２に固定部１４ａを設置する工程と、第１防護カーテンユニット１０を支持部１４ｂに取り付ける工程と、第１防護カーテン１０ａを引き出して支持部１４ｂの所定部位に取り付ける工程と、第２防護カーテン１２ａを引き出して第１防護カーテンユニット１０の所定部位に取り付ける工程とを、間接活線工具を用いて行うため、防護カーテンを取り付ける作業を行う作業員の安全性が向上する。
【００７７】
以上、本発明の実施形態について説明したが、本発明は、上述した実施形態に限るものではない。例えば、第１防護カーテンユニット１０の第１巻き取り軸１０ｂ、及び第２防護カーテンユニット１２の第２巻き取り軸１２ｂを手動で回転させるハンドルを設け、第１防護カーテン１０ａあるいは第２防護カーテン１２ａの巻き取りを可能にしてもよい。また、ハンドルの代わりに、自動巻き取り機構を軸受１０ｇ、１２ｇに設けてもよい。
【００７８】
また、前述した実施形態によれば、第２防護カーテンユニット１２の本体から引き出された引き出し軸１２ｃを保持するために、フック１２ｈをシャフト１０ｈに係合させているが、引き出し軸１２ｃを保持するための構成はそれに限るものではない。また、第１防護カーテンユニット１０の本体から引き出された引き出し軸１０ｃを保持するために、支持部１４ｂ及び下部支持部１６ｂの正面中央部にＬ字状の係合部１４ｄ、１６ｄを設けているが、引き出し軸１０ｃを保持するための構成はそれに限るものではない。
【符号の説明】
【００７９】
１  防護具
１０  第１防護カーテンユニット
１０ａ  第１防護カーテン
１０ｂ  第１巻き取り軸
１０ｃ、１２ｃ  引き出し軸
１０ｅ  第１収納体
１０ｆ、１２ｆ  固定板
１０ｇ、１２ｇ  軸受
１０ｈ、２４  シャフト
１０ｉ  延在部
１２  第２防護カーテンユニット
１２ａ  第２防護カーテン
１２ｂ  第２巻き取り軸
１２ｅ  第２収納体
１２ｈ  フック
１４  前方支持アーム
１４ａ  固定部
１４ｂ  支持部
３８、４８  ビス
１４ｄ、１６ｄ  係合部
１６  前方下部支持アーム
１６ａ  下部固定部
１６ｂ  下部支持部
１８  後方支持アーム
１８ａ、２０ａ、２２ｆ、３０、４０  貫通孔
１８ｂ、２０ｂ、２６  ボルト
３９、４４、４９  ナット
２０  後方下部支持アーム
２２  取付具
２２ａ  挿入部
２２ｂ  連結部
２２ｃ  スペーサ部
２２ｄ  下方延在部
２２ｅ  上方延在部
３２、４２、５０  長孔
１００  電柱
１１０、１２０  変圧器
１３０  腕金
【図１】
0005777978.tif 000002
【図２】
0005777978.tif 000003
【図３】
0005777978.tif 000004
【図４】
0005777978.tif 000005
【図５】
0005777978.tif 000006
【図６】
0005777978.tif 000007
【図７】
0005777978.tif 000008
【図８】
0005777978.tif 000009
【図９】
0005777978.tif 000010
【図１０】
0005777978.tif 000011
【図１１】
0005777978.tif 000012
【図１２】
0005777978.tif 000013
【図１３】
0005777978.tif 000014